(57)【要約】  全体の周波数帯域を多数のサブキャリア帯域に分割し、予め定められた設定数の隣り合うサブキャリア帯域の集まりであるサブチャンネルを備える無線通信システムにおける、バンド適応的変調及びコーディングチャンネルを割り当てる方法であって、加入者端末は、バンド適応的変調及びコーディングチャンネルの使用の必要性を認知すると、基地局に上記適応的変調及びコーディングチャンネルを割り当てることを要求するステップと、上記基地局は、上記バンド適応的変調及びコーディングチャンネルの割り当ての要求を受信すると、上記基地局の資源の状況を考慮して、上記加入者端末が要求するバンド適応的変調及びコーディングチャンネルに対する割り当ての有無を決定し、上記決定に対応する情報を上記加入者端末に伝送するステップと、を含むことを特徴とする。
2007527678.tif 000002
【特許請求の範囲】
【請求項１】
全体の周波数帯域を多数のサブキャリア帯域に分割し、前記サブキャリア帯域は、予め定められた数のサブバンドの集まりであると共に、予め定められた設定数の隣り合うサブキャリア帯域の集まりである無線通信システムにおける、加入者端末がバンド適応的変調及びコーディングチャンネルの割り当てを要求する方法であって、
前記バンド適応的変調及びコーディングチャンネルに対する使用の必要性を認知するステップと、
バンドの受信品質を測定するステップと、
前記受信品質の測定に応じて、受信品質の良好なバンドに対する一覧を作成するステップと、
前記バンド適応的変調及びコーディングチャンネルの割り当てを基地局に要求するステップと、
前記要求に応じて、前記基地局からの応答を受信するステップと、
前記応答に応じて、バンド適応的変調及びコーディングチャンネルの使用可能状態へ遷移するステップと、
を含むことを特徴とする前記方法。
【請求項２】
前記測定された受信品質をシステムにおいて定義される任意の基準値と比較し、前記比較の結果、前記基準値よりも高い受信品質を含むバンドが存在すれば、それに対する一覧を作成することを特徴とする請求項１に記載の前記方法。
【請求項３】
前記加入者端末は、基地局からの要請に応じて、加入者端末自らが現在使用中のバンドのチャンネルの品質状態を基地局に報告するか、あるいは、バンド適応的変調及びコーディングチャンネルの割り当てを基地局に要求するために、チャンネル状態応答（ＣＨ＿ＳＴＡ＿ＲＳＰ）メッセージを伝送するステップをさらに含むことを特徴とする請求項１に記載の前記方法。
【請求項４】
前記チャンネル状態応答メッセージは、受信品質の良好なバンド一覧、前記一覧に含まれている各バンドのチャンネル品質情報（ＣＱＩ）及びバンド適応的変調及びコーディングチャンネルの割り当て要求情報を含むことを特徴とする請求項３に記載の前記方法。
【請求項５】
前記チャンネル状態応答メッセージは、加入者端末が基地局にチャンネル状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項３に記載の前記方法。
【請求項６】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項５に記載の前記方法。
【請求項７】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項６に記載の前記方法。
【請求項８】
全体の周波数帯域を多数のサブキャリア帯域に分割し、前記サブキャリア帯域は、予め定められた数のサブバンドの集まりであると共に、予め定められた設定数の隣り合うサブキャリア帯域の集まりである無線通信システムにおける、基地局のバンド適応的変調及びコーディングチャンネルの割り当て方法であって、
前記基地局は、バンド適応的変調及びコーディングチャンネルを使用しない状態において、所定の加入者端末からバンド適応的変調及びコーディングチャンネルの要求を受信するステップと、
前記要求に応じて、前記加入者端末に対するバンド適応的変調及びコーディングチャンネルの割り当てを決定するステップと、
前記確認の結果に対応するバンド適応的変調及びコーディングチャンネルの割り当て情報を前記加入者端末に伝送するステップと、を含むことを特徴とする前記方法。
【請求項９】
前記確認の結果、前記加入者端末にバンド適応的変調及びコーディングチャンネルの割り当てを行うことが可能であれば、その旨を知らせる指示メッセージを伝送し、前記指示メッセージを伝送後に、バンド適応的変調及びコーディングチャンネルを割り当てることを特徴とする請求項８に記載の前記方法。
【請求項１０】
前記加入者端末から受信される要求は、前記基地局からの要請に応じて、加入者端末自らが現在使用中のバンドのチャンネル品質の状態を基地局に報告するか、あるいは、前記加入者端末がバンド適応的変調及びコーディングチャンネルの割り当てを基地局に要求するために伝送するチャンネル状態応答（ＣＨ＿ＳＴＡ＿ＲＳＰ）メッセージであることを特徴とする請求項８に記載の前記方法。
【請求項１１】
前記チャンネル状態応答メッセージは、受信品質の良好なバンド一覧、前記一覧に含まれている各バンドのチャンネル品質情報（ＣＱＩ）及びバンド適応的変調及びコーディングチャンネルの割り当て要求情報を含むことを特徴とする請求項１０に記載の前記方法。
【請求項１２】
前記チャンネル状態応答メッセージは、加入者端末が基地局にチャンネル状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項１０に記載の前記方法。
【請求項１３】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項１２に記載の前記方法。
【請求項１４】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項１０に記載の前記方法。
【請求項１５】
前記基地局は、前記加入者端末からの要求に応じて、前記基地局が前記加入者端末にバンド適応的変調及びコーディングチャンネルの割り当ての有無を知らせるバンド適応的変調及びコーディング指示（ＢＡＮＤ＿ＡＭＤ＿ＩＮＤ）メッセージを伝送することを特徴とする請求項８に記載の前記方法。
【請求項１６】
全体の周波数帯域を多数のサブキャリア帯域に分割し、予め定められた設定数の隣り合うサブキャリア帯域の集まりであるサブチャンネルを備える無線通信システムにおける、加入者端末がバンド適応的変調及びコーディングチャンネルの割り当てを要求する方法であって、
加入者端末は、加入者端末自らが現在使用中のバンド適応的変調及びコーディングチャンネルについての状況を基地局に報告するステップと、
前記バンド適応的変調及びコーディングチャンネルについての状況の報告に応じて、前記基地局からの応答を受信するステップと、
前記応答に応じて、前記バンド適応的変調及びコーディングチャンネルの使用を決定するステップと、
を含むことを特徴とする前記方法。
【請求項１７】
前記加入者端末は、バンド適応的変調及びコーディングチャンネルを使用する状態において、加入者端末自らが現在使用中の前記バンド適応的変調及びコーディングチャンネルについての状況の報告の必要性を認知するか、あるいは、基地局から加入者端末自らが現在使用中のチャンネルについての報告を要請する場合、加入者端末自らが使用中のバンド適応的変調及びコーディングチャンネル品質に関する情報を伝送することを特徴とする請求項１６に記載の前記方法。
【請求項１８】
前記基地局は、前記加入者端末に割り当てられたバンド適応的変調及びコーディングチャンネルについての報告の要請を、チャンネル状態要求（ＣＨ＿ＳＴＡ＿ＲＥＱ）メッセージを通じて伝送することを特徴とする請求項１７に記載の前記方法。
【請求項１９】
前記チャンネル状態要求メッセージは、前記基地局が前記加入者端末からチャンネルの状態を受信しようとするチャンネル型情報を示す要求チャンネル型フィールドを含むことを特徴とする請求項１８に記載の前記方法。
【請求項２０】
前記チャンネル型情報は、前記基地局が前記加入者端末と通信するときに用いるチャンネルに関する情報であることを特徴とし、
前記チャンネル型情報は、ダイバーシティチャンネル、バンド適応的変調及びコーディングチャンネル及び安定したチャンネルであることを特徴とする請求項１９に記載の前記方法。
【請求項２１】
前記基地局からの応答をバンド適応的変調及びコーディング指示メッセージを通じて受信するステップと、
前記バンド適応的変調及びコーディング指示メッセージに含まれているバンド適応的変調及びコーディング指示子の設定値をチェックするステップと、
前記チェックの結果、前記指示子が、バンド適応的変調及びコーディングチャンネルが使用可能である旨の情報を有している場合、バンド適応的変調及びコーディングチャンネルを用いるステップと、を含むことを特徴とする請求項１６に記載の前記方法。
【請求項２２】
前記加入者端末は、基地局からの要請に応じて、加入者端末自らが現在使用中のバンドのチャンネル品質状態を基地局に報告するために、チャンネル状態応答（ＣＨ＿ＳＴＡ＿ＲＳＰ）メッセージを伝送することを特徴とする請求項１６に記載の前記方法。
【請求項２３】
前記チャンネル状態応答メッセージは、受信品質の良好なバンド一覧、前記一覧に含まれている各バンドのチャンネル品質情報（ＣＱＩ）及びバンド適応的変調及びコーディングチャンネルの割り当て要求情報を含むことを特徴とする請求項２２に記載の前記方法。
【請求項２４】
前記チャンネル状態応答メッセージは、加入者端末が基地局にチャンネル状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項２２に記載の前記方法。
【請求項２５】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項２４に記載の前記方法。
【請求項２６】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項２２に記載の前記方法。
【請求項２７】
前記基地局から受信される応答は、バンド適応的変調及びコーディング指示（ＢＡＮＤ＿ＡＭＤ＿ＩＮＤ）メッセージであることを特徴とする請求項１６に記載の前記方法。
【請求項２８】
前記バンド適応的変調及びコーディング指示メッセージは、加入者端末のバンド適応的変調及びコーディングチャンネルの割り当ての要求に対する成功の有無を示す情報フィールドを含むことを特徴とする請求項２７に記載の前記方法。
【請求項２９】
全体の周波数帯域を多数のサブキャリア帯域に分割し、予め定められた設定数の隣り合うサブキャリア帯域の集まりであるサブチャンネルを備える無線通信システムにおける、基地局のバンド適応的変調及びコーディングチャンネルの割り当て方法であって、
加入者端末からバンド適応的変調及びコーディングチャンネル情報を受信するステップと、
前記受信された割り当て情報に応じて、バンド適応的変調及びコーディングチャンネルの割り当てを決定するステップと、を含むことを特徴とする前記方法。
【請求項３０】
前記加入者端末に判断の結果に対応する情報が含まれている指示メッセージを伝送するステップと、
前記判断の結果に応じて、バンド適応的変調及びコーディングチャンネルを前記加入者端末に割り当てるステップと、を含むことを特徴とする請求項２９に記載の前記方法。
【請求項３１】
前記基地局からのバンド適応的変調及びコーディングチャンネル情報は、基地局の要請に応じて、現在バンドのチャンネル品質状態を報告するチャンネル状態応答メッセージを含むことを特徴とする請求項３０に記載の前記方法。
【請求項３２】
前記チャンネル状態応答メッセージは、受信品質の良好なバンド一覧、前記一覧に含まれている各バンドのチャンネル品質情報（ＣＱＩ）及びバンド適応的変調及びコーディングチャンネルの割り当て要求情報を含むことを特徴とする請求項３０に記載の前記方法。
【請求項３３】
前記チャンネル状態応答メッセージは、加入者端末が基地局にチャンネル状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項３０に記載の前記方法。
【請求項３４】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項３３に記載の前記方法。
【請求項３５】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項３４に記載の前記方法。
【請求項３６】
前記チャンネル状態応答メッセージは、前記基地局にバンド適応的変調及びコーディングチャンネルの割り当てを要求するメッセージであることを特徴とする請求項３０に記載の前記方法。
【請求項３７】
前記チャンネル状態応答メッセージは、高い受信品質、一覧に含まれているバンドのチャンネル品質情報を有するバンドの一覧及び前記バンド適応的変調及びコーディングチャンネルの割り当て要求情報を含むことを特徴とする請求項３６に記載の前記方法。
【請求項３８】
前記チャンネル状態応答メッセージは、チャンネル型情報を示す報告されたチャンネル型フィールド、前記加入者端末が前記基地局に報告する状態と、チャンネル一覧情報と、各加入者端末が前記基地局に報告する測定された品質と、一覧に含まれている各チャンネルの状態情報と、を含むことを特徴とする請求項３６に記載の前記方法。
【請求項３９】
前記報告されたチャンネル型フィールドは、前記加入者端末が前記基地局と通信するときに用いるチャンネル情報を示し、ここで、前記報告されたチャンネル型は、ダイバーシティチャンネル、バンド適応的変調及びコーディングチャンネル及び安定したチャンネルを含むことを特徴とする請求項３８に記載の前記方法。
【請求項４０】
前記チャンネル状態応答メッセージは、チャンネル識別子（ＩＤ）情報及び前記ダイバーシティチャンネルのそれぞれのキャリア対干渉比（Ｃ／Ｉ）、バンド適応的変調及びコーディングチャンネル及び安定したチャンネル情報を含むことを特徴とする請求項３９に記載の前記方法。
【請求項４１】
前記基地局は、加入者端末に対してバンド適応的変調及びコーディングチャンネルについての状況の把握が必要である場合、前記加入者端末に加入者端末自らが現在使用中のチャンネル状態についての報告を要請し、それに対応する応答を受信するステップをさらに含むことを特徴とする請求項２９に記載の前記方法。
【請求項４２】
前記チャンネル状態についての報告の要請は、前記加入者端末に割り当てられたバンド適応的変調及びコーディングチャンネル状態に関する情報報告の要求のためのチャンネル状態要求（ＣＨ＿ＳＴＡ＿ＲＥＱ）メッセージを通じて伝送することを特徴とする請求項４１に記載の前記方法。
【請求項４３】
前記チャンネル状態要求メッセージは、前記基地局が前記加入者端末からチャンネル状態を受信しようとするチャンネル型情報を示す要求チャンネル型フィールドを含むことを特徴とする請求項４２に記載の前記方法。
【請求項４４】
前記チャンネル型情報は、前記基地局が前記加入者端末と通信するときに用いるチャンネルに関する情報であることを特徴とし、
前記チャンネル型情報は、ダイバーシティチャンネル、バンド適応的変調及びコーディングチャンネル及び安定したチャンネルであることを特徴とする請求項４３に記載の前記方法。
【請求項４５】
前記基地局は、前記決定されるバンド適応的変調及びコーディングチャンネルの割り当て情報をバンド適応的変調及びコーディング指示（ＢＡＮＤ＿ＡＭＤ＿ＩＮＤ）メッセージを通じて伝送することを特徴とする請求項２９に記載の前記方法。
【請求項４６】
前記バンド適応的変調及びコーディング指示メッセージは、加入者端末のバンド適応的変調及びコーディングチャンネルの割り当ての要求に対する成功の有無を示す情報フィールドを含むことを特徴とする請求項４５に記載の前記方法。
【請求項４７】
全体の周波数帯域を多数のサブキャリア帯域に分割し、予め定められた設定数の隣り合うサブキャリア帯域の集まりであるサブチャンネルを備える無線通信システムにおける、加入者端末と基地局との間のチャンネル設定を通じてのデータの送受信方法であって、
加入者端末は、基地局から割り当てられて加入者端末自らが現在使用中のバンド適応的変調及びコーディングチャンネル状態の変化を検出するステップと、
前記基地局に変化を報告するために、チャンネル状態応答（ＣＨ＿ＳＴＡ＿ＲＳＰ）メッセージを伝送するステップと、
チャンネル状態応答メッセージを受信するステップと、
前記基地局は、前記チャンネル状態応答メッセージを通じて前記加入者端末に対するバンド適応的変調及びコーディングチャンネルの割り当てを決定するステップと、
前記基地局は、前記加入者端末にバンド適応的変調及びコーディングチャンネルの割り当ての有無を指示する情報を含むバンド適応的変調及びコーディング指示（ＢＡＮＤ＿ＡＭＣ＿ＩＮＤ）メッセージを伝送するステップと、
前記バンド適応的変調及びコーディング指示（ＢＡＮＤ＿ＡＭＣ＿ＩＮＤ）メッセージを受信するステップと、
前記加入者端末は、前記バンド適応的変調及びコーディング指示（ＢＡＮＤ＿ＡＭＣ＿ＩＮＤ）メッセージに応じて、ダイバーシティチャンネル及びバンド適応的変調及びコーディングチャンネルのうちどちらか一方を通じて前記基地局にデータを送信するステップと、
を含むことを特徴とする前記方法。
【請求項４８】
前記基地局は、前記加入者端末がバンド適応的変調及びコーディングチャンネルをそれ以上用いる必要がないと判断すると、前記加入者端末にバンド適応的変調及びコーディングチャンネルの使用が不可能である旨の情報を含むバンド適応的変調及びコーディング指示メッセージを伝送し、前記バンド適応的変調及びコーディングチャンネルの使用を解放するステップと、
前記加入者端末は、前記指示メッセージを受信すると、ダイバーシティチャンネルを用いて前記基地局にデータを送信するステップと、をさらに含むことを特徴とする請求項４７に記載の前記方法。
【請求項４９】
前記加入者端末は、加入者端末自らが現在使用中のバンド適応的変調及びコーディングチャンネルについての状態報告の要請のためのチャンネル状態要求メッセージに応じて、前記チャンネル状態応答メッセージを伝送するステップをさらに含むことを特徴とする請求項４７に記載の前記方法。
【請求項５０】
前記チャンネル状態要求メッセージは、前記基地局が前記加入者端末からチャンネル状態を受信しようとするチャンネル型情報を含む要求チャンネル型フィールドを含むことを特徴とする請求項４９に記載の前記方法。
【請求項５１】
前記チャンネル型情報は、前記基地局が前記加入者端末と通信するときに用いるチャンネルに関する情報であることを特徴とし、
前記チャンネル型情報は、ダイバーシティチャンネル、バンド適応的変調及びコーディングチャンネル及び安定したチャンネルであることを特徴とする請求項５０に記載の前記方法。
【請求項５２】
前記基地局が前記加入者端末に下りリンクデータを伝送する場合、前記基地局は、データのサイズが予め定められた基準値よりも大きくなければ、前記ダイバーシティチャンネルを用いてデータを伝送し、データのサイズが前記予め定められた基準値よりも大きければ、前記バンド適応的変調及びコーディングチャンネルを用いてデータを伝送することを特徴とする請求項４７に記載の前記方法。
【請求項５３】
前記データの送受信は、前記加入者端末が前記基地局に上りリンクデータを伝送する場合、前記バンド適応的変調及びコーディングチャンネルを用いてデータを伝送することを特徴とする請求項４７に記載の前記方法。
【請求項５４】
前記チャンネル状態応答メッセージは、加入者端末が基地局にチャンネルの状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項４７に記載の前記方法。
【請求項５５】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項５４に記載の前記方法。
【請求項５６】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項４７に記載の前記方法。
【請求項５７】
前記バンド適応的変調及びコーディング指示メッセージは、加入者端末のバンド適応的変調及びコーディングチャンネルの割り当ての要求に対する成功の有無を示す情報フィールドを含むことを特徴とする請求項４７に記載の前記方法。
【請求項５８】
全体の周波数帯域を多数のサブキャリア帯域に分割し、予め定められた設定数の隣り合うサブキャリア帯域の集まりであるサブチャンネルを備える無線通信システムにおける、バンド適応的変調及びコーディングチャンネルの割り当てのためのシステムであって、
バンド適応的変調及びコーディングチャンネルを用いるために、バンド適応的変調及びコーディングチャンネルの割り当てを要求するか、あるいは、現在使用中のバンド適応的変調及びコーディングチャンネルに関する情報を伝送する場合、前記状況に対応するチャンネル状態応答（ＣＨ＿ＳＴＡ＿ＲＳＰ）メッセージを伝送する加入者端末と、
前記加入者端末が使用中のバンド適応的変調及びコーディングチャンネルについての状態を確認するためのチャンネル状態要求（ＣＨ＿ＳＴＡ＿ＲＥＱ）メッセージを伝送し、前記受信される各チャンネル状態応答メッセージに対応するバンド適応的変調及びコーディング指示（ＢＡＮＤ＿ＡＭＣ＿ＩＮＤ）メッセージを前記加入者端末に伝送する基地局と、
を備えることを特徴とする前記システム。
【請求項５９】
前記基地局は、前記加入者端末が現在使用中のバンド適応的変調及びコーディングチャンネルに対して用いる必要がないと判断すると、前記加入者端末にバンド適応的変調及びコーディングチャンネルの使用が不可能である旨の情報を含む前記バンド適応的変調及びコーディング指示メッセージを伝送して、前記加入者端末に対する前記バンド適応的変調及びコーディングチャンネルの使用を解放し、
前記加入者端末は、前記指示メッセージを受信すると、ダイバーシティチャンネルを用いて前記基地局にデータを送信することを特徴とする請求項５８に記載の前記システム。
【請求項６０】
前記加入者端末が現在バンド適応的変調及びコーディングチャンネルの使用をそれ以上必要としない場合、前記基地局は、前記バンド適応的変調及びコーディングチャンネルの使用が不可能である旨を指示する情報を含むバンド適応的変調及びコーディング指示（ＢＡＮＤ＿ＡＭＣ＿ＩＮＤ）メッセージを前記加入者端末に送信して、前記加入者端末に用いられるバンド適応的変調及びコーディングチャンネルを解放し、
前記バンド適応的変調及びコーディング指示（ＢＡＮＤ＿ＡＭＣ＿ＩＮＤ）メッセージを受信した加入者端末は、ダイバーシティチャンネルを用いて前記基地局からデータを受信することを特徴とする請求項５８に記載の前記方法。
【請求項６１】
前記チャンネル状態要求メッセージは、前記基地局が前記加入者端末からチャンネル状態を受信しようとするチャンネル型情報を示す要求チャンネル型フィールドを含むことを特徴とする請求項５８に記載の前記システム。
【請求項６２】
前記チャンネル型情報は、前記基地局が前記加入者端末と通信するときに用いるチャンネルに関する情報であることを特徴とし、
前記チャンネル型情報は、ダイバーシティチャンネル、バンド適応的変調及びコーディングチャンネル及び安定したチャンネルであることを特徴とする請求項６１に記載の前記システム。
【請求項６３】
前記加入者端末と前記基地局は、前記バンド適応的変調及びコーディング指示メッセージに含まれている情報に応じて、バンド適応的変調及びコーディングチャンネル及びダイバーシティチャンネルのうちいずれか一方を用いてデータを交換することを特徴とする請求項５８に記載の前記システム。
【請求項６４】
前記データの送受信は、前記基地局が前記加入者端末に下りリンクデータを伝送する場合、データのサイズが予め定められた基準値よりも大きくなければ、前記ダイバーシティチャンネルを用いてデータを伝送し、データのサイズが予め定められた基準値よりも大きければ、前記バンド適応的変調及びコーディングチャンネルを用いてデータを伝送することを特徴とする請求項６３に記載の前記システム。
【請求項６５】
前記データの送受信は、前記加入者端末が前記基地局に上りリンクデータを伝送する場合、前記バンド適応的変調及びコーディングチャンネルを用いてデータを伝送することを特徴とする請求項６３に記載の前記システム。
【請求項６６】
前記チャンネル状態応答メッセージは、加入者端末が基地局にチャンネル状態を報告しようとするチャンネル型情報、加入者端末が測定した各チャンネルの品質状態について基地局に報告するチャンネルの一覧情報及び前記一覧に含まれている各チャンネルの状態情報を示す報告チャンネル型フィールドを含むことを特徴とする請求項５８に記載の前記システム。
【請求項６７】
前記報告チャンネル型フィールドは、前記加入者端末が前記基地局と通信するときに用いるチャンネルに関する情報を示し、
前記報告チャンネル型は、ダイバーシティチャンネル、バンド適応的変調及びコーディングチャンネル、安定したチャンネルを含むことを特徴とする請求項６６に記載の前記システム。
【請求項６８】
前記チャンネル状態応答メッセージは、ダイバーシティチャンネル、バンド適応的変調及びコーディングチャンネル及び安定したチャンネルに対応する各チャンネルのチャンネル識別子（Ｃｈａｎｎｅｌ  ＩＤ）とキャリア対干渉雑音比（Ｃ／Ｉ）情報を含むことを特徴とする請求項５８に記載の前記方法。
【請求項６９】
前記バンド適応的変調及びコーディング指示メッセージは、加入者端末のバンド適応的変調及びコーディングチャンネルの割り当ての要求に対する成功の有無を示す情報フィールドを含むことを特徴とする請求項５８に記載の前記方法。
【発明の詳細な説明】
【技術分野】
【０００１】
本発明は、直交周波数分割多重接続（Orthogonal Frequency Division Multiple Access、以下、「ＯＦＤＭＡ」と称する。）通信システムに係り、さらに詳しくは、時間分割多重（Time Division Duplex、以下、「ＴＤＤ」と称する。）ＯＦＤＭＡ方式を用いる通信システムにおける、バンド適応的変調及びコーディング（ＡＭＣ：Adaptive Modulation and Coding）チャンネルを運用するシステム及び方法に関する。
【背景技術】
【０００２】
次世代の通信システムである第４世代（４th Generation；以下、「４Ｇ」と称する。）通信システムにおいては、約１００Ｍｂｐｓの伝送速度を有する種々のサービス品質（Quality of Service、以下、「ＱｏＳ」と称する。）のサービスをユーザーに提供するための研究が盛んになされている。これに対し、現在、第３世代（３rd Generation；以下、「３Ｇ」と称する。）通信システムは、通常、比較的に劣悪なチャンネル環境を有する屋外チャンネル環境では約３８４ｋｂｐｓの伝送速度を支援し、比較的に良好なチャンネル環境を有する屋内チャンネル環境でも最大２Ｍｂｐｓ程度の伝送速度を支援している。
【０００３】
一方、無線近距離通信ネットワーク（Local Area Network；以下、「ＬＡＮ」と称する。）システム及び無線都市地域ネットワーク（Metropolitan Area Network；以下、「ＭＡＮ」と称する。）システムは、通常、２０Ｍｂｐｓ〜５０Ｍｂｐｓの伝送速度を支援している。このため、現在、４Ｇ通信システムにおいては、比較的に高い伝送速度を保証する無線ＬＡＮシステム及び無線ＭＡＮシステムにおける移動性とＱｏＳを保証するような、新しい通信システムを開発して、上記４Ｇ通信システムにおいて提供したい高速サービスを支援させるための研究が盛んになされている。このための方案として、上記４Ｇ通信システムにおいては、有無線チャンネルにおける高速なデータ伝送に有効となるような直交周波数分割多重化（Orthogonal Frequency Division Multiplexing；以下、「ＯＦＤＭ」と称する。）方式について活発に研究している。上記ＯＦＤＭ方式は、マルチキャリアを用いてデータを伝送する方式であって、シリアルで入力するシンボル列をパラレルに変換し、これらをそれぞれ相互直交性を持つ多数のサブキャリア、すなわち、多数のサブキャリアチャンネルに変調して伝送する、マルチキャリア変調（ＭＣＭ：Multi Carrier Modulation）方式の１種である。
【０００４】
上記ＯＦＤＭ方式に対応する多重接続方式が、上記ＯＦＤＭＡ方式である。上記ＯＦＤＭＡ方式は、１つのＯＦＤＭシンボル内のサブキャリアを多数のユーザー、すなわち、多数の加入者端末(ＳＳ:Subscriber Station)が分割して用いるような方式である。上記ＯＦＤＭ／ＯＦＤＭＡ方式を用いる通信システムとしては、ＩＥＥＥ（Institute of Electrical and Electronics Engineers）８０２．１６ａ通信システム、８０２．１６ｄ及びＩＥＥＥ８０２．１６ｅ通信システムなどが挙げられる。ここで、上記ＩＥＥＥ８０２．１６ｄ通信システムは、広帯域伝送ネットワークを支援するために、上記無線ＭＡＮシステムの物理チャンネルに上記ＯＦＤＭＡ方式を適用したシステムである。また、上記ＩＥＥＥ８０２．１６ｄ通信システムは、ＴＤＤ−ＯＦＤＭＡ方式を用いる広帯域無線接続通信システムである。すなわち、上記ＩＥＥＥ８０２．１６ｄ通信システムは、上記無線ＭＡＮシステムにＯＦＤＭ／ＯＦＤＭＡ方式を適用することから、多数のサブキャリアを用いて物理チャンネル信号を送信することにより、高速でかつ高品質のデータ伝送が可能である。
【０００５】
図１は、通常のＴＤＤ−ＯＦＤＭＡ通信システムに用いられるフレームの概略構造図である。
図１を参照すると、先ず、上記ＴＤＤ−ＯＦＤＭＡに用いられるフレームは、下りリンク（DownLink、以下、「ＤＬ」と称する。）１４９区間と、上りリンク（UpLink、以下、「ＵＬ」と称する。）１５３区間に時間分割される。上記ＤＬ１４９からＵＬ１５３へと遷移する区間には、送信／受信遷移ギャップ(Transmit/receive Transition Gap、以下、「ＴＴＧ」と称する。)１５１が保護時間を構成し、上記ＵＬ１５３からＤＬ１４９へと遷移する区間には、受信／送信遷移ギャップ(Receive/transmit Transition Gap)１５５が保護時間を構成する。一方、上記ＴＤＤ−ＯＦＤＭＡフレームには、多数のサブチャンネル１４７よりなる縦軸と、ＯＦＤＭＡシンボル１４５よりなる横軸が存在する。
【０００６】
上記ＤＬ１４９については、同期を取るためのプレアンブル１１１がＫ番のＯＦＤＭＡシンボルに位置し、フレーム制御ヘッダー（Frame Control Header、以下、「ＦＣＨ」と称する。）１１３、ＤＬ−ＭＡＰ１１５、ＵＬ−ＭＡＰ１１７などの加入者端末が共通して受信するブロードキャストデータ情報が（Ｋ＋１）番または（Ｋ＋２）番のＯＦＤＭＡシンボルに位置する。ここで、上記ＦＣＨ１１３は２本のサブチャンネルにより構成されて、サブチャンネル、レーンジング及び変調方式などに関する基本情報を受け渡す。上記ＵＬ−ＭＡＰを除く（Ｋ＋２）番のＯＦＤＭＡシンボルから（Ｋ＋８）番のＯＦＤＭＡシンボルまでには、下りバースト（DownLink Burst、以下、「ＤＬバースト」と称する。）１２１、１２３、１２５、１２７、１２９が位置している。次に、上記ＵＬ１５３については、（Ｋ＋９）番のＯＦＤＭＡシンボルにプレアンブル１３１、１３３、１３５が位置し、（Ｋ＋１０番のＯＦＤＭＡシンボルから（Ｋ＋１２）番のＯＦＤＭＡシンボルまでには、各上りリンクバースト（UpLink burst、以下、「ＵＬバースト」と称する。）１３７、１３９、１４１が位置する。また、上記（Ｋ＋９）番から（Ｋ＋１２）番のＯＦＤＭＡシンボルまでには、レーンジングのためのレーンジングサブチャンネル１４３が位置する。
【０００７】
上記ＵＬバースト１３７、１３９、１４１と上記ＤＬバースト１２１、１２３、１２５、１２７、１２９の位置と割り当てに関する情報は、任意のセルを司る基地局が、上記ＤＬ−ＭＡＰ１１５、ＵＬ−ＭＡＰ１１７を通じて、上記セルに属する加入者端末に対して与える。すると、上記加入者端末は、上記情報に基づき、各フレームごとに周波数とシンボルが組み合わせられたサブチャンネルを可変的に割り当てられて、通信を行う。すなわち、各フレームごとに固定されたサブチャンネルではなく、相異なるサブチャンネルを用いることができる。また、隣り合うセルもまた同じ周波数帯域を用いて加入者端末が通信を行うことになるため、セルの境界域にある相異なるセルに同じサブチャンネルが用いられる場合、相互間に大きな干渉信号として働くことがある。
【０００８】
以上述べたように、既存のＯＦＤＭＡ通信システムにおいては、チャンネル状態とは無関係に、加入者端末とデータ通信を行う。すなわち、従来の技術によるＯＦＤＭＡ通信システムのフレーム構造においては、チャンネル状態の良好な加入者端末に大容量のデータ通信を高速で行うための方案が提示されていなかった。このため、従来の技術においては、上記サブチャンネルの品質状態が良好な加入者端末のための柔軟な変調及びコーディング方法を行うことができなかった。
【発明の開示】
【発明が解決しようとする課題】
【０００９】
そこで、本発明の目的は、広帯域無線接続通信システムにおいて、大容量のデータ通信を高速で行うためのシステム及び方法を提供するところにある。
【００１０】
本発明の他の目的は、時間分割直交周波数多重接続通信システムにおいて、低い移動性を有する加入者端末に高いデータ伝送率を与えるためのＡＭＣチャンネルの割り当て方法を提供するところにある。
【００１１】
本発明のさらに他の目的は、ＴＤＤ−ＯＦＤＭＡ通信システムにおけるＡＭＣサブチャンネルの運用のためのシステム及び方法を提供するところにある。
【００１２】
本発明のさらに他の目的は、ＴＤＤ−ＯＦＤＭＡ通信システムにおいて、ＡＭＣチャンネル状態の報告を通じて大容量のデータを高速で伝送することのできる基地局と加入者端末の運用方案を提供するところにある。
【００１３】
本発明のさらに他の目的は、ＴＤＤ−ＯＦＤＭＡ通信システムにおいて、ＡＭＣチャンネルの使用の解放による基地局と加入者端末の運用方案を提供するところにある。
【００１４】
本発明のさらに他の目的は、ＯＦＤＭＡ通信システムの基地局において、加入者端末のチャンネル状態に応じて、チャンネル状態の良好な加入者端末に大容量のデータを高速で伝送可能なＡＭＣサブチャンネルを割り当てるシステム及び方法を提供するところにある。
【００１５】
本発明のさらに他の目的は、ＴＤＤ方式を用いるＯＦＤＭＡ通信システムにおいて、チャンネル状態に応じて、大容量のデータを高速で伝送可能なフレーム構造を新たに提供するところにある。
【００１６】
本発明のさらに他の目的は、ＡＭＣサブチャンネル及びこれによるメッセージを通じて、チャンネル品質の良好な加入者端末に高効率の変調及びコーディング方式を適用して、大容量のデータを高速で伝送可能なシステム及び方法を提供するところにある。
【課題を解決するための手段】
【００１７】
上記の目的を達成するために、本発明の実施の形態による方法は、全体の周波数帯域を多数のサブキャリア帯域に分割し、上記サブキャリア帯域は、予め定められた数のサブバンドの集まりであると共に、予め定められた設定数の隣り合うサブキャリア帯域の集まりである無線通信システムにおける、加入者端末がＡＭＣチャンネルの割り当てを要求する方法であって、上記ＡＭＣチャンネルに対する使用の必要性を認知するステップと、バンドの受信品質を測定するステップと、上記受信品質の測定に応じて、受信品質の良好なバンドに対する一覧を作成するステップと、上記ＡＭＣチャンネルの割り当てを基地局に要求するステップと、上記要求に応じて、上記基地局からの応答を受信するステップと、上記応答に応じて、ＡＭＣチャンネルの使用可能状態へ遷移するステップと、を含むことを特徴とする。
【００１８】
上記の目的を達成するために、本発明の実施の形態による方法は、全体の周波数帯域を多数のサブキャリア帯域に分割し、上記サブキャリア帯域は、予め定められた数のサブバンドの集まりであると共に、予め定められた設定数の隣り合うサブキャリア帯域の集まりである無線通信システムにおける、基地局のＡＭＣチャンネルの割り当て方法であって、上記基地局は、ＡＭＣチャンネルを使用しない状態において、所定の加入者端末からＡＭＣチャンネルの要求を受信するステップと、上記要求に応じて、上記加入者端末に対するＡＭＣチャンネルの割り当てを決定するステップと、上記確認結果に対応するＡＭＣチャンネルの割り当て情報を上記加入者端末に伝送するステップと、を含むことを特徴とする。
【００１９】
上記の目的を達成するために、本発明の実施の形態による方法は、全体の周波数帯域を多数のサブキャリア帯域に分割し、予め定められた設定数の隣り合うサブキャリア帯域の集まりであるサブチャンネルを備える無線通信システムにおける、加入者端末がＡＭＣチャンネルの割り当てを要求する方法であって、加入者端末は、加入者端末自らが現在使用中のＡＭＣチャンネルについての状況を基地局に報告するステップと、上記ＡＭＣチャンネルについての状況の報告に応じて、上記基地局からの応答を受信するステップと、上記応答に応じて、上記ＡＭＣチャンネルの使用を決定するステップと、を含むことを特徴とする。
【００２０】
上記の目的を達成するために、本発明の実施の形態による方法は、全体の周波数帯域を多数のサブキャリア帯域に分割し、予め定められた設定数の隣り合うサブキャリア帯域の集まりであるサブチャンネルを備える無線通信システムにおける、基地局のＡＭＣチャンネルの割り当て方法であって、加入者端末からＡＭＣチャンネル情報を受信するステップと、上記受信された割り当て情報に応じて、ＡＭＣチャンネルの割り当てを決定するステップと、を含むことを特徴とする。
【００２１】
上記の目的を達成するために、本発明の実施の形態による方法は、全体の周波数帯域を多数のサブキャリア帯域に分割し、予め定められた設定数の隣り合うサブキャリア帯域の集まりであるサブチャンネルを備える無線通信システムにおける、加入者端末と基地局との間のチャンネル設定を通じてのデータの送受信方法であって、加入者端末は、基地局から割り当てられて加入者端末自らが現在使用中のＡＭＣチャンネル状態の変化を検出するステップと、上記基地局に変化を報告するために、チャンネル状態応答ＣＨ＿ＳＴＡ＿ＲＳＰメッセージを伝送するステップと、チャンネル状態応答メッセージを受信するステップと、上記基地局は、上記チャンネル状態応答メッセージを通じて上記加入者端末に対するＡＭＣチャンネルの割り当てを決定するステップと、上記基地局は、上記加入者端末にＡＭＣチャンネルの割り当ての有無を指示する情報を含むＡＭＣ指示ＢＡＮＤ＿ＡＭＣ＿ＩＮＤメッセージを伝送するステップと、上記ＡＭＣ指示ＢＡＮＤ＿ＡＭＣ＿ＩＮＤメッセージを受信するステップと、上記加入者端末は、上記ＡＭＣ指示ＢＡＮＤ＿ＡＭＣ＿ＩＮＤメッセージに応じて、ダイバーシティチャンネル及びＡＭＣチャンネルのうちどちらか一方を通じて上記基地局にデータを送信するステップと、を含むことを特徴とする。
【００２２】
上記の目的を達成するために、本発明の実施の形態によるシステムは、全体の周波数帯域を多数のサブキャリア帯域に分割し、予め定められた設定数の隣り合うサブキャリア帯域の集まりであるサブチャンネルを備える無線通信システムにおける、ＡＭＣチャンネルの割り当てのためのシステムであって、ＡＭＣチャンネルを用いるために、ＡＭＣチャンネルの割り当てを要求するか、あるいは、現在使用中のＡＭＣチャンネルに関する情報を伝送する場合、上記状況に対応するチャンネル状態応答ＣＨ＿ＳＴＡ＿ＲＳＰメッセージを伝送する加入者端末と、上記加入者端末が使用中のＡＭＣチャンネルについての状態を確認するためのチャンネル状態要求ＣＨ＿ＳＴＡ＿ＲＥＱメッセージを伝送し、上記受信される各チャンネル状態応答メッセージに対応するＡＭＣ指示ＢＡＮＤ＿ＡＭＣ＿ＩＮＤメッセージを上記加入者端末に伝送する基地局と、を備えることを特徴とする。
【発明の効果】
【００２３】
本発明によるバンドＡＭＣチャンネルの割り当て方案によれば、ＯＦＤＭＡ通信システムにおける受信信号の品質が良好である場合に、大容量のバンドチャンネルを加入者端末に割り当て、上記割り当てたバンドチャンネルのチャンネル品質状態を報告して良好な受信品質を持つバンドチャンネルを選択し、上記選択された高品質のバンドチャンネル、及びコーディング効率の高い変調方法を用いることにより、基地局と加入者端末との間で大容量のデータを高速で送受信することができる。
【発明を実施するための最良の形態】
【００２４】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００２５】
先ず、本発明は、ＯＦＤＭ通信システムにおいて、基地局（ＢＳ：Base Station）がチャンネル状態の良好な加入者端末に大容量のデータを高速で送信できるようにするシステム及び方法に関する。特に、本発明は、加入者端末のチャンネル状態に応じて、チャンネル状態の良好な加入者端末に大容量のデータを高速で送信できるバンドＡＭＣサブチャンネルを割り当てて運用することのできるシステム及び方法を提案する。
【００２６】
すなわち、本発明は、ＴＤＤ方式を用いるＯＦＤＭＡ通信システム（ＴＤＤ−ＯＦＤＭＡ）において、低い移動性を有するユーザー、すなわち、加入者端末に高いデータ伝送率を与えるためのバンドＡＭＣチャンネルの割り当て方案と、上記バンドＡＭＣチャンネル状態の報告による加入者端末と基地局の動作方案及びバンドＡＭＣチャンネル使用の解放による加入者端末と基地局の動作方案を提案する。
【００２７】
より具体的に、本発明は、ＴＤＤ−ＯＦＤＭＡ通信システムにおいて、加入者端末が各バンドの受信信号の強度を測定し、上記測定した受信信号の強度の品質を元に、受信品質の高い特定のバンド及びコーディング効率の高い変調方法を用いて、基地局と加入者端末との間でデータを高速にて送受信することのできるシステム及び方法を提案する。
【００２８】
また、本発明においては、上述のように、チャンネル状態に応じてデータを送受信するためのＴＤＤ−ＯＦＤＭＡフレームの構造を新たに提案する。特に、バンドＡＭＣチャンネル及びこれによるメッセージを新たに提案して、チャンネル品質の良好な加入者端末に、高い効率の変調及びコーディング方法を用いて大容量のデータを高速で伝送することができる。
【００２９】
図２は、本発明の実施の形態によるＴＤＤ−ＯＦＤＭＡ通信システムに適用されるフレーム構造を概略的に示す図である。
図２を参照すると、先ず、上記フレーム構造において、全体のサブキャリア帯域は、多数のバンド、例えば、図２に示すように、バンド０ないしバンド２３に分割される。ここで、上記バンドは、多数のビンまたはタイルよりなる。上記ビンまたはタイルは、多数のサブキャリアにより構成されている。ここで、上記ビンは、１つのＯＦＤＭシンボル内にある９個の連続するサブキャリアにより構成され、上記ビンには、１つのパイロットトーンと８個のデータトーンが存在する。また、上記タイルは、３〜６個の連続するサブキャリアにより構成され、上記タイルには、２個のパイロットトーンと１６個のデータトーンが存在する。
【００３０】
図２を参照すると、上記フレームにおける先頭の３個のＯＦＤＭシンボルは、それぞれレーンジングチャンネル、ＡＣＫチャンネル及びチャンネル品質情報（Channel Quality Information、以下、「ＣＱＩ」と称する。）チャンネルに用いられる。残りのシンボルは、バンドＡＭＣチャンネルとダイバーシティチャンネル、安定した（以下、「セーフティ」と称する。）チャンネルに割り当てられる。ここで、上記前部のバンドＡＭＣチャンネルは、６個のビンよりなるバンド単位で割り当てられ、上記後部のダイバーシティチャンネルは、全体のサブキャリア帯域に散在している３個のタイルよりなるサブチャンネル単位で割り当てられる。
【００３１】
上記バンドＡＭＣチャンネルは、上記ダイバーシティチャンネルよりも広い領域を割り当てることにより、受信品質の状態が良好である場合には、コーディング効率の高い変調技法を適用して、大容量のデータを高速にて送受信するときに用いることができる。また、上記セーフティチャンネルは、全てのＯＦＤＭシンボルと１つのビンを跨る部分が割り当てられる。上記セーフティチャンネルには、１つのビンの全てのシンボルが割り当てられる。また、上記加入者端末が割り当てられるセーフティチャンネルは、隣り合うセルに使用されないセーフティチャンネルのうち、上記基地局で割り当て可能な周波数帯域、すなわち、割り当てられずに残っている周波数帯域に割り当てられる。
【００３２】
図３は、本発明の実施の形態によるＴＤＤ−ＯＦＤＭＡ通信システムの加入者端末のバンドＡＭＣチャンネルの割り当て要求の動作過程を示すフローチャートである。
図３を参照すると、先ず、加入者端末ＳＳは、バンドＡＭＣ非活性の状態（ステップＳ３１１）において、バンドＡＭＣチャンネルの使用の必要性を認知する（ステップＳ３１３）と、ステップＳ３１５へ進む。上記ステップＳ３１５において、上記加入者端末は、全てのバンドの受信品質を測定した後、ステップＳ３１７へ進む。上記ステップＳ３１７において、上記加入者端末は、上記測定した受信品質をシステムにおいて定義された基準値と比較し、上記比較の結果、上記基準値よりも高い受信品質を含むバンド、すなわち、受信品質の良好なバンドが存在すれば、それらに対する一覧を作成した後、ステップＳ３１９へ進む。上記ステップＳ３１９において、上記加入者端末は、上記基地局にチャンネル状態応答（Channel State Response、以下、「ＣＨ＿ＳＴＡ＿ＲＳＰ」と称する。）メッセージを送信する。上記ＣＨ＿ＳＴＡ＿ＲＳＰメッセージには、上記受信品質の良好なバンド一覧と、上記一覧に含まれている各バンドのＣＱＩに関する情報と、バンドＡＭＣチャンネルの割り当て要求情報が含まれる。上記ＣＨ＿ＳＴＡ＿ＲＳＰメッセージの構造については、後述する。
【００３３】
一方、上記ステップＳ３１９において、上記ＣＨ＿ＳＴＡ＿ＲＳＰメッセージを送信した後に、上記ステップＳ３２１において、上記加入者端末は、上記基地局からの応答を待ち、ステップＳ３２３へ進む。上記ステップＳ３２３において、上記加入者端末は、上記基地局から、上記ステップＳ３１９におけるＣＨ＿ＳＴＡ＿ＲＳＰに対する応答としてバンドＡＭＣ指示（Band ＡＭＣ Indication、以下、「ＢＡＮＤ＿ＡＭＣ＿ＩＮＤ」と称する。）メッセージを受信すると、ステップＳ３２５へ進む。上記ＢＡＮＤ＿ＡＭＣ＿ＩＮＤメッセージの構造については、後述する。上記ステップＳ３２５において、上記加入者端末は、上記受信されたＢＡＮＣ＿ＡＭＣ＿ＩＮＤメッセージを通じて、上記基地局が上記加入者端末にバンドＡＭＣチャンネルを割り当てることができるかどうかをチェックする。
【００３４】
上記ステップＳ３２５における上記チェックの結果、上記基地局が上記加入者端末にバンドＡＭＣチャンネルを割り当てることが可能であれば、上記加入者端末は、ステップＳ３２７へ進み、バンドＡＭＣイネーブル状態に遷移する。あるいは、上記ステップＳ３２５における上記チェックの結果、上記基地局からバンドＡＭＣチャンネルを割り当てることができなければ、上記ステップＳ３１１へ進み、上記過程を繰り返し行う。
ステップＳ３１９において、上記加入者端末が上記基地局に伝送する上記ＣＨ＿ＳＴＡ＿ＲＳＰメッセージは、上記加入者端末がバンドのチャンネル品質状態を基地局に報告するか、あるいは、バンドＡＭＣチャンネルの割り当てを上記基地局に要求するために伝送するメッセージである。上記ＣＨ＿ＳＴＡ＿ＲＳＰメッセージの構造は、下記表１に示す通りである。
【００３５】
【表１】
2007527678.tif 000003
【００３６】
上記表１に示すように、上記ＣＨ＿ＳＴＡ＿ＲＳＰメッセージは、多数の情報エレメント（Information Element、以下、「ＩＥ」と称する。）、すなわち、送信されるメッセージの型を示すManagement Message Typeと、加入者端末が基地局にチャンネル状態を報告しようとするチャンネル型情報、加入者端末が測定した各チャンネルの品質状態について基地局に報告するチャンネルの一覧情報、上記一覧に含まれている各チャンネルの状態情報を示すReported Channel Typeを含む。
【００３７】
上記チャンネル型情報は、上記加入者端末が上記基地局と通信するときに用いるチャンネルに相当する。例えば、上記使用するチャンネルがダイバーシティチャンネルである場合、上記Reported Channel Typeは「００」の値を示し、バンドＡＭＣチャンネルである場合、上記Reported Channel Typeは「０１」の値を示し、セーフティチャンネルである場合、上記Reported Channel Typeは「１０」の値を示す。
【００３８】
上記チャンネル型がダイバーシティチャンネル（Reported Channel Type＝００）である場合には、各ダイバーシティチャンネルのチャンネル識別子（Downlink Channel ＩＤ）と上記チャンネルのキャリア対干渉雑音比（Carrier to Interference Ratio、以下、「Ｃ／Ｉ」と称する。）の情報を含む。上記チャンネル型がバンドＡＭＣチャンネル（Reported Channel Type＝０１）である場合には、バンドＡＭＣチャンネルの各バンド識別子と上記バンドのＣ／Ｉ情報を含む。上記チャンネル型がセーフティチャンネル（Reported Channel Type＝１０）である場合には、上記セーフティチャンネルのビン識別子と上記ビンのＣ／Ｉ情報を含む。
【００３９】
ステップＳ３２３において、上記基地局が上記加入者端末に伝送する上記ＢＡＮＤ＿ＡＭＣ＿ＩＮＤメッセージは、上記表１に示すように、ＣＨ＿ＳＴＡ＿ＲＳＰメッセージに対する応答であって、上記基地局が上記加入者端末にバンドＡＭＣチャンネルの割り当ての有無を知らせるメッセージである。上記ＢＡＮＤ＿ＡＭＣ＿ＩＮＤメッセージの構造は、下記表２に示す通りである。
【００４０】
【表２】
2007527678.tif 000004
【００４１】
上記表２に示すように、上記ＢＡＮＤ＿ＡＭＣ＿ＩＮＤメッセージは、多数のＩＥ、すなわち、送信されるメッセージの型を示すManagement Message Typeと、加入者端末が基地局に対して行ったバンドＡＭＣチャンネルの割り当ての要求に対する成功有無の情報を示すバンドＡＭＣ指示子を含む。例えば、上記バンドＡＭＣ指示子の値が１（イネーブル）であれば、加入者端末が要求したバンドＡＭＣチャンネルの割り当てが成功したことを示し、上記バンドＡＭＣ指示子の値が０（ディセーブル）であれば、加入者端末が要求したバンドＡＭＣチャンネルの割り当てに失敗したことを示す。
【００４２】
図４は、本発明の実施の形態によるＴＤＤ−ＯＦＤＭＡ通信システムにおける、加入者端末のバンドＡＭＣチャンネルの割り当ての要求による基地局の動作過程を示すフローチャートである。
図４を参照すると、先ず、基地局ＢＳは、バンドＡＭＣディセーブルの状態（ステップＳ４１１）において、加入者端末ＳＳからＣＨ＿ＳＴＡ＿ＲＳＰメッセージを受信すると（ステップＳ４１３）、ステップＳ４１５へ進む。上記ステップＳ４１５ステップにおいて、上記基地局は、資源の状態を考慮して、上記加入者端末が要求するバンドＡＭＣチャンネルを割り当てることができるかどうかをチェックする。
【００４３】
上記ステップＳ４１５における上記チェックの結果、上記加入者端末にバンドＡＭＣチャンネルを割り当てることができれば、ステップＳ４１７へ進む。上記ステップＳ４１７において、上記基地局は、上記表２に示すバンドＡＭＣ指示子を１（イネーブル）に設定したＢＡＮＤ＿ＡＭＣ＿ＩＮＤメッセージを上記加入者端末に伝送し、ステップＳ４２１へ進む。次いで、上記基地局は、上記ステップＳ４２１において、バンドＡＭＣイネーブルの状態に遷移する。あるいは、上記ステップＳ４１５における上記チェックの結果、上記加入者端末にバンドＡＭＣチャンネルを割り当てることができなければ、ステップＳ４１９へ進む。上記ステップＳ４１９において、上記基地局は、上記表２に示すバンドＡＭＣ指示子を０（ディセーブル）に設定したＢＡＮＤ＿ＡＭＣ＿ＩＮＤメッセージを上記加入者端末に伝送した後、上記ステップＳ４１１へ進み、バンドＡＭＣディセーブルの状態に遷移する。
【００４４】
図５は、本発明の実施の形態によるＴＤＤ−ＯＦＤＭＡ通信システムにおける、基地局が加入者端末に割り当てたバンドＡＭＣチャンネルの状況についての報告を要求する動作過程を示すフローチャートである。
図５を参照すると、先ず、基地局は、バンドＡＭＣイネーブル状態において（ステップＳ５１１）、所定のエフェクトが生じると、例えば、上記加入者端末に割り当てたバンドＡＭＣチャンネルについての状況報告を受ける必要性を認知するか（ステップＳ５１３）、あるいは、上記加入者端末からＣＨ＿ＳＴＡ＿ＲＳＰメッセージが受信されると（ステップＳ５１７）、各状況に対応する動作を行う。
【００４５】
先ず、上記ステップＳ５１３において、上記基地局は、上記加入者端末に以前に割り当てたバンドＡＭＣチャンネルの状況に対する要求が生じたとき、ステップＳ５１５へ進む。上記ステップＳ５１５において、上記基地局は、上記加入者端末に割り当てたバンドＡＭＣチャンネル状態の報告の要求のためのチャンネル状態要求（Channel State Request、以下、「ＣＨ＿ＳＴＡ＿ＲＥＱ」と称する。）メッセージを伝送した後、上記ステップＳ５１１へ進み、バンドＡＭＣイネーブルの状態に留まる。上記ＣＨ＿ＳＴＡ＿ＲＥＱメッセージの構造については、後述する。
【００４６】
このとき、上記ステップＳ５１３のように、上記基地局が上記加入者端末からバンドＡＭＣチャンネルの状況報告を受けたい場合としては、例えば、上記加入者端末がバンドＡＭＣチャンネルに送信するデータの受信品質が悪いと判断されるとき、各加入者端末にバンドＡＭＣチャンネルを割り当てる間に、現在スケジューリングされているバンドＡＭＣチャンネルの割り当てを変える必要があると判断されるとき、あるいは、上記各加入者端末が使用している現在のバンドＡＭＣチャンネルの状態を把握してそれによる動作を行いたい場合が挙げられる。
【００４７】
次に、上記ステップＳ５１１に留まっていた上記基地局は、ステップＳ５１７において、上記ステップＳ５１５において伝送した上記ＣＨ＿ＳＴＡ＿ＲＥＱメッセージに対する応答であるＣＨ＿ＳＴＡ＿ＲＳＰメッセージを上記加入者端末から受信すると、ステップＳ５１９へ進む。
【００４８】
一方、図５においては、上記基地局が上記加入者端末にＣＨ＿ＳＴＡ＿ＲＥＱメッセージを伝送した場合、これに対応する応答メッセージを受信された場合を想定している。ところが、本発明はこれに限定されるものではない。例えば、上記ステップＳ５１７において受信されたＣＨ＿ＳＴＡ＿ＲＳＰメッセージは、上記ステップＳ５１５において、上記基地局が上記加入者端末にバンドＡＭＣチャンネル情報を報告することを要求するＣＨ＿ＳＴＡ＿ＲＥＱメッセージを伝送しない場合であっても、バンドＡＭＣチャンネル情報を報告する必要性を認知した上記加入者端末が主導的に送ることもある。すると、上記基地局においては、上記加入者端末から送られてくるＣＨ＿ＳＴＡ＿ＲＳＰメッセージを受信して、それによる手続きを行うことになる。
【００４９】
このとき、上記ステップＳ５１７において、上記加入者端末が主導的にＣＨ＿ＳＴＡ＿ＲＳＰメッセージを送る場合としては、加入者端末が現在使用しているバンドＡＭＣチャンネルの品質が悪くて他のバンドＡＭＣチャンネルを割り当てられることが可能であるかどうかなどをチェックするための場合などが挙げられる。また、上記ステップＳ５１７において受信されたＣＨ＿ＳＴＡ＿ＲＳＰメッセージには、上記表１に示すように、上記加入者端末に割り当てられたバンドＡＭＣチャンネル品質状態の情報が含まれている。
【００５０】
次に、上記基地局は、上記ステップＳ５１７において、上記加入者端末から受信された上記ＣＨ＿ＳＴＡ＿ＲＳＰメッセージを通じて、上記加入者端末のバンドＡＭＣチャンネル状態を報告された後、ステップＳ５１９へ進む。上記ステップＳ５１９において、上記基地局は、上記受信されたＣＨ＿ＳＴＡ＿ＲＳＰメッセージから新たなバンドＡＭＣが要求されているかどうかを確認する。
【００５１】
上記ステップＳ５１９における確認の結果、上記加入者端末にバンドＡＭＣチャンネルをそれ以上割り当てることができないか、あるいは、上記加入者端末にバンドＡＭＣチャンネルを割り当てる必要がないと判断すると、ステップＳ５２１へ進む。上記ステップＳ５２１において、上記基地局は、上記加入者端末にバンドＡＭＣ指示子を０に設定したＢＡＮＤ＿ＡＭＣ＿ＩＮＤメッセージを送信し、ステップＳ５２３へ進む。上記ステップＳ５２３において、上記基地局は、バンドＡＭＣディセーブルの状態へ遷移する。
【００５２】
上記ステップＳ５１９において、上記加入者端末がバンドＡＭＣチャンネルを使用し続けてもよいと判断されるか、あるいは、上記加入者端末にバンドＡＭＣチャンネルを割り当てる必要がないと判断すると、ステップＳ５２５へ進む。上記ステップＳ５２５において、上記基地局は、上記加入者端末にバンドＡＭＣ指示子を１に設定したＢＡＮＤ＿ＡＭＣ＿ＩＮＤメッセージを送信して上記ステップＳ５１１へ進み、バンドＡＭＣイネーブルの状態に留まる。
【００５３】
ステップＳ５１５において、上記基地局が上記加入者端末に伝送する上記ＣＨ＿ＳＴＡ＿ＲＥＱメッセージは、上記加入者端末に割り当てたバンドＡＭＣチャンネル状態に関する情報報告を要求するために伝送するメッセージである。上記ＣＨ＿ＳＴＡ＿ＲＥＱメッセージの構造は、下記表３に示す通りである。
【００５４】
【表３】
2007527678.tif 000005
【００５５】
上記表３に示すように、上記ＣＨ＿ＳＴＡ＿ＲＥＱメッセージは、多数のＩＥ、すなわち、送信されるメッセージの型を示すManagement Message Typeと、基地局が加入者端末からチャンネル状態を受信しようとするチャンネル型情報を示すRequested Channel Typeと、を含む。
【００５６】
上記チャンネル型情報は、上記基地局が上記加入者端末と通信するときに用いるチャンネルに相当する。例えば、上記用いるチャンネルがダイバーシティチャンネルである場合、上記Requested Channel Typeは「００」の値を示し、バンドＡＭＣチャンネルである場合、上記Requested Channel Typeは「０１」の値を示し、セーフティチャンネルである場合、上記Requested Channel Typeは「１０」の値を示す。
【００５７】
図６は、本発明の実施の形態によるＴＤＤ−ＯＦＤＭＡ通信システムにおける、加入者端末が使用中のバンドＡＭＣチャンネルの状況を報告する動作過程を示すフローチャートである。
図６を参照すると、先ず、加入者端末は、バンドＡＭＣイネーブルの状態（ステップＳ６１１）において、所定のエフェクトが生じると、例えば、基地局から割り当てられたバンドＡＭＣチャンネルを使用している加入者端末がバンドＡＭＣチャンネルの状況を報告する必要性を認知する（ステップＳ６１３）か、あるいは、基地局からＣＨ＿ＳＴＡ＿ＲＥＱメッセージが受信される（ステップＳ６２５）と、ステップＳ６１５へ進む。
【００５８】
ここで、上記ステップＳ６１３において、上記加入者端末が上記バンドＡＭＣチャンネル状況を報告する必要がある場合としては、上記加入者端末自らが現在使用しているバンドＡＭＣチャンネル品質が悪くてそれ以上バンドＡＭＣチャンネルを使用できないと判断した場合、あるいは、他のバンドＡＭＣチャンネルへの切り替えが可能であるかどうかを基地局に確認する場合が挙げられる。
【００５９】
次いで、上記ステップＳ６１５において、上記加入者端末は、加入者端末自らが現在使用中のバンドＡＭＣチャンネルについての状況を報告するために、上記基地局にＣＨ＿ＳＴＡ＿ＲＳＰメッセージを伝送した後、ステップＳ６１７へ進む。
【００６０】
以上、上記加入者端末が、加入者端末自らの判断による場合、すなわち、バンドＡＭＣチャンネル状況の報告が必要であると判断した場合を説明した。しかし、本発明はこれに限定されるものではない。例えば、上記ステップＳ６１１において、上記加入者端末は、上記ステップＳ６２５において上記基地局からバンドＡＭＣチャンネル状況を報告することを要求するＣＨ＿ＳＴＡ＿ＲＥＱメッセージを受信すると、加入者端末自らが現在使用中のバンドＡＭＣチャンネルの状況を報告するために、上記ステップＳ６１５のＣＨ＿ＳＴＡ＿ＲＳＰメッセージ伝送過程に進んでもよい。
【００６１】
次に、上記ステップＳ６１５において、ＣＨ＿ＳＴＡ＿ＲＳＰメッセージを伝送し、上記ステップＳ６１７において、待ち状態にある上記加入者端末は、上記基地局からＢＡＮＤ＿ＡＭＣ＿ＩＮＤメッセージを受信すると（ステップＳ６１９）、ステップＳ６２１へ進む。上記ステップＳ６２１において、上記加入者端末は、上記ＢＡＮＤ＿ＡＭＣ＿ＩＮＤメッセージに含まれているバンドＡＭＣ指示子の設定値を確認して、バンドＡＭＣチャンネルを使用してもよいかどうかをチェックする。
【００６２】
例えば、上記表２に示すように、上記バンドＡＭＣ指示子の値が１（イネーブル）であれば、バンドＡＭＣチャンネルを使用してもよいことを示し、上記バンドＡＭＣ指示子の値が０（ディセーブル）であれば、バンドＡＭＣチャンネルを使用してはいけないことを示す。
【００６３】
上記ステップＳ６２１におけるチェックの結果、上記加入者端末がそれ以上バンドＡＭＣチャンネルを使用できないと設定されていると、上記加入者端末は、ステップＳ６２３へ進む。上記ステップＳ６２３において、上記加入者端末は、バンドＡＭＣディセーブルの状態に遷移する。上記ステップＳ６２１におけるチェックの結果、上記加入者端末がバンドＡＭＣチャンネルを使用し続けることが可能であれば、上記ステップＳ６１１のバンドＡＭＣイネーブルの状態に留まる。
【００６４】
図７は、本発明の実施の形態によるＴＤＤ−ＯＦＤＭＡ通信システムにおける、加入者端末と基地局との間のバンドＡＭＣチャンネルの設定及び解放過程を示す信号のフローチャートである。
図７を参照すると、先ず、加入者端末ＳＳ７１０と基地局ＢＳ７５０は、ダイバーシティチャンネルを用いてデータを送受信する（ステップＳ７１１）。このとき、上記加入者端末７１０は、バンドＡＭＣチャンネルを使用しようとする場合、上記バンドＡＭＣチャンネルの割り当てを要求するために、上記基地局７５０にＣＨ＿ＳＴＡ＿ＲＳＰメッセージを伝送する（ステップＳ７１３）。すると、上記基地局７５０は、上記加入者端末７１０に対してバンドＡＭＣチャンネルを割り当てることが可能であると判断すると（ステップＳ７１５）、上記バンドＡＭＣチャンネルに対する割り当ての可否をＢＡＮＤ＿ＡＭＣ＿ＩＮＤメッセージを通じて上記加入者端末７１０に知らせる（ステップＳ７１７）。
【００６５】
上記加入者端末７１０は、上記基地局７５０からＢＡＮＤ＿ＡＭＣ＿ＩＮＤメッセージを受信すると、上記ＢＡＮＤ＿ＡＭＣ＿ＩＮＤメッセージに含まれている情報に応じて、データの送受信を行う。このとき、上記ＢＡＮＤ＿ＡＭＣ＿ＩＮＤメッセージは、上述のように、上記加入者端末７１０に対するバンドＡＭＣチャンネルの割り当てが可能である旨の情報を含んでいるため、今後のデータ送受信に当たって、上記加入者端末７１０は、上記基地局７５０とダイバーシティチャンネルまたは上記割り当てられたバンドＡＭＣチャンネルを通じてデータを送受信する（ステップＳ７１９）。
【００６６】
例えば、上記ステップＳ７１９のデータの送受信過程において、上記基地局７５０が上記加入者端末７１０に下りリンクデータを伝送する場合を想定する。このとき、データのサイズが大きくなければ、ダイバーシティチャンネルを用いてデータを伝送することができ、あるいは、上記基地局７５０が送信しようとするデータのサイズが大きければ、上記割り当てたバンドＡＭＣチャンネルを用いてデータを伝送することができる。また、上記加入者端末７１０が上記基地局７５０に上りリンクデータを伝送する場合には、上記割り当てられたバンドＡＭＣチャンネルのみを用いてデータを送信することもできる。
【００６７】
上述のように、上記加入者端末７１０がバンドＡＭＣイネーブルの状態において、今後、基地局７５０は、上記のようにして割り当てたバンドＡＭＣチャンネルの状態の報告を受けるために、ＣＨ＿ＳＴＡ＿ＲＥＱメッセージを上記加入者端末７１０に伝送することができる（ステップＳ７２１）。すると、上記加入者端末７１０は、これに対する応答として、加入者端末自らが現在使用中のバンドＡＭＣチャンネル状態の情報を含むＣＨ＿ＳＴＡ＿ＲＳＰメッセージを上記基地局に伝送する（ステップＳ７２３）。また、上記加入者端末７１０は、上記基地局７５０の要請とは無関係に、上記加入者端末７１０自らのＣ／Ｉ情報を上記基地局７５０に周期的に報告することができる（ステップＳ７２５）。
【００６８】
上記基地局７５０においては、上記加入者端末７１０から送られてくる上記ＣＨ＿ＳＴＡ＿ＲＳＰメッセージに含まれている情報に応じて、上記加入者端末７１０にＢＡＮＤ＿ＡＭＣ＿ＩＮＤメッセージを伝送する。すると、上記加入者端末７１０は、上記ＢＡＮＤ＿ＡＭＣ＿ＩＮＤメッセージを受信し、上記受信されたＢＡＮＤ＿ＡＭＣ＿ＩＮＤメッセージに含まれている情報に応じて、ダイバーシティチャンネル、若しくは、バンドＡＭＣチャンネルを介して上記基地局７５０とデータの送受信を行う（ステップＳ７２７）。このとき、上記ステップＳ７２７において、上記加入者端末７１０と上記基地局７５０とのデータの送受信にダイバーシティチャンネルを用いるか、あるいは、バンドＡＭＣチャンネルを用いるかは、上記ステップＳ７１９の場合と同様である。
【００６９】
上記加入者端末７１０は、上記基地局７５０から割り当てられて加入者端末自らが現在使用中の上記バンドＡＭＣチャンネルの状況に変化が生じると、これを上記基地局７５０に報告するために、ＣＨ＿ＳＴＡ＿ＲＳＰメッセージを伝送する（ステップＳ７２９）。すると、上記基地局７５０においては、上記伝送されるＣＨ＿ＳＴＡ＿ＲＳＰメッセージを受信し、上記受信ＣＨ＿ＳＴＡ＿ＲＳＰメッセージを通じて上記加入者端末７１０に対するバンドＡＭＣチャンネルの割り当ての要否を決定する（ステップＳ７３１）。このとき、上記ステップＳ７３１において、上記基地局７５０が、上記加入者端末７１０がバンドＡＭＣチャンネルをそれ以上用いる必要がないと判断すると、上記加入者端末７１０がバンドＡＭＣチャンネルを使用できない旨の情報を含むＢＡＮＤ＿ＡＭＣ＿ＩＮＤメッセージを伝送して、上記バンドＡＭＣチャンネルの使用を解放する（ステップＳ７３３）。この後、ステップＳ７３５からは、上記加入者端末７１０は、ダイバーシティチャンネルのみを用いて上記基地局７５０とデータの送受信を行う。
【００７０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００７１】
【図１】通常のＴＤＤ−ＯＦＤＭＡ通信システムに用いられるフレームの概略構造図である。
【図２】本発明の実施形態によるＴＤＤ−ＯＦＤＭＡ通信システムに用いられるフレームの概略構造図である。
【図３】本発明の実施形態によるＴＤＤ−ＯＦＤＭＡ通信システムにおける、加入者端末からのバンドＡＭＣチャンネルの割り当ての要求の動作過程を示すフローチャートである。
【図４】本発明の実施形態によるＴＤＤ−ＯＦＤＭＡ通信システムにおける、加入者端末からのバンドＡＭＣチャンネルの割り当ての要求による基地局の動作過程を示すフローチャートである。
【図５】本発明の実施形態によるＴＤＤ−ＯＦＤＭＡ通信システムにおける、基地局端末からバンドＡＭＣチャンネルの状況を受信するための動作過程を示すフローチャートである。
【図６】本発明の実施形態によるＴＤＤ−ＯＦＤＭＡ通信システムにおける、端末がバンドＡＭＣチャンネルの状況を報告する動作過程を示すフローチャートである。
【図７】本発明の実施形態によるＴＤＤ−ＯＦＤＭＡ通信システムにおける、端末と基地局との間でバンドＡＭＣチャンネルに関するメッセージを送受する過程を示すフローチャートである。
【符号の説明】
【００７２】
１１１    プレアンブル
１１３    フレーム制御ヘッダー（ＦＣＨ）
１１５    ＤＬ−ＭＡＰ（ブロードキャストデータ情報）
１１７    ＵＬ−ＭＡＰ（ブロードキャストデータ情報）
１２１、１２３、１２５、１２７、１２９    下りバースト（ＤＬバースト）
１３１、１３３、１３５    プレアンブル
１３７、１３９、１４１    上りリンクバースト（ＵＬバースト）
１４３    レーンジングサブチャンネル
１４５    ＯＦＤＭＡシンボル
１４７    サブチャンネル
１４９    下りリンク（ＤＬ）
１５１    送信／受信遷移ギャップ
１５３    上りリンク（ＵＬ）
１５５    受信／送信遷移ギャップ
７１０    加入者端末
７５０    基地局
【図１】
2007527678.tif 000006
【図２】
2007527678.tif 000007
【図３】
2007527678.tif 000008
【図４】
2007527678.tif 000009
【図５】
2007527678.tif 000010
【図６】
2007527678.tif 000011
【図７】
2007527678.tif 000012
【国際調査報告】
2007527678.tif 000013
2007527678.tif 000014